(57)【要約】      （修正有）【課題】座り心地の向上を図ることができる椅子を提案する。【解決手段】使用者が着席可能な座体を備える椅子であって、上記座体の少なくとも前方の縁部分には、板状の形状及び面状の形状のうちの少なくともいずれか一方であって、前方の端部が上下方向に弾性変形可能に構成された前縁部が設け、該前縁部にのせられた大腿部を過度に圧迫することを抑制しつつ指示する。【選択図】図４
2018079086.tif 000002
【特許請求の範囲】
【請求項１】
使用者が着席可能な座体を備える椅子であって、
前記座体の少なくとも前方の縁部分には、板状の形状及び面状の形状のうちの少なくともいずれか一方であって、前方の端部が上下方向に弾性変形可能に構成された前縁部が設けられている、椅子。
【請求項２】
請求項１に記載の椅子であって、
前記前縁部には、１つ以上のスリットが形成されている、椅子。
【請求項３】
請求項１又は請求項２に記載の椅子であって、
前記前縁部は、少なくとも上面の一部がエラストマーにより被覆されている、椅子。
【請求項４】
請求項１から請求項３のいずれか１項に記載の椅子であって、
前記座体には、前記前縁部の後方に位置しており、前記前縁部と比較して上下方向の弾性変形が制限された変位制限部が設けられており、
前記前縁部と、前記変位制限部と、は共通の部材により形成されている、椅子。
【請求項５】
請求項４に記載の椅子であって、
前記前縁部の左右方向の幅は、前記変位制限部における左右方向の幅よりも小さい、椅子。
【請求項６】
請求項１から請求項５のいずれか１項に記載の椅子であって、
前記前縁部は、上方から見たときに、左右方向に長さを有する略矩形である、椅子。
【請求項７】
請求項１から請求項６のいずれか１項に記載の椅子であって、
前記前縁部は、前方ほど下方に位置するように傾斜した形状である、椅子。
【発明の詳細な説明】
【技術分野】
【０００１】
本開示は、使用者が着席可能な座体を備える椅子に関する。
【背景技術】
【０００２】
従来、特許文献１に示されるように、椅子の使用者が着席する座体の中央部が弾性変形可能に構成された椅子が提案されている。
【先行技術文献】
【特許文献】
【０００３】
【特許文献１】特開２０１０−９４１９２号公報
【発明の概要】
【発明が解決しようとする課題】
【０００４】
特許文献１の構成は、坐骨周辺と座体との接触状態を改善するものであって、大腿部と座体との接触については考慮されていない。そのため、大腿部と座体との接触状態によっては座り心地が悪くなる場合があった。
【０００５】
本開示は、座り心地の向上を図ることができる椅子を提案する。
【課題を解決するための手段】
【０００６】
本開示の一態様は、使用者が着席可能な座体を備える椅子であって、上記座体の少なくとも前方の縁部分には、板状の形状及び面状の形状のうちの少なくともいずれか一方であって、前方の端部が上下方向に弾性変形可能に構成された前縁部が設けられている椅子である。
【０００７】
このように構成された椅子では、前縁部が上下に弾性変形することから、前縁部に大腿部が乗せられたとき、前縁部は、大腿部を過度に圧迫することを抑制しつつ、大腿部を支持することができる。よって、大腿部と座体との接触状態を改善して、座体全体として座り心地の向上を図ることができる。
【０００８】
上述した椅子において、上記前縁部には、１つ以上のスリットが形成されていてもよい。このように構成された椅子では、スリットによって前縁部の柔軟性を調整することができる。
【０００９】
また上述した椅子において、上記前縁部は、少なくとも上面の一部がエラストマーにより被覆されていてもよい。このように構成された椅子では、人体が直接前縁部に接触したときに受ける違和感を低減することができる。
【００１０】
また上述した椅子において、上記座体には、上記前縁部の後方に位置しており、上記前縁部と比較して上下方向の弾性変形が制限された変位制限部が設けられており、上記前縁部と、上記変位制限部と、は共通の部材により形成されていてもよい。このように構成された椅子では、使用者が着席したときに、座体の前方部分の広い範囲が全体的に沈み込んでしまうことを抑制できる。
【００１１】
また上述した椅子において、上記前縁部の左右方向の幅は、上記変位制限部における左右方向の幅よりも小さくなるように構成されていてもよい。このように構成された椅子では、前縁部の弾性変形を大きく阻害せずに、前縁部の後方部分の弾性変形を抑制することができる。
【００１２】
また上述した椅子において、上記前縁部は、上方から見たときに、左右方向に長さを有する略矩形であるように構成されていてもよい。このように構成された椅子では、大腿部を支持する支持面を左右に大きくすることができる。
【００１３】
また上述した椅子において、上記前縁部は、前方ほど下方に位置するように傾斜した形状であってもよい。このように構成された椅子では、前方ほど大腿部に加わる荷重が小さくなるため、座り心地を向上させることができる。
【図面の簡単な説明】
【００１４】
【図１】実施形態の椅子を示す図であって、図１Ａが側面図であり、図１Ｂが正面図であり、図１Ｃが背面図であり、図１Ｄが平面図であり、図１Ｅが図１ＡのＩＥ−ＩＥ断面図である。
【図２】座体及びフレームワークを示す斜視図である。
【図３】座体及びフレームワークを示す斜視図である。
【図４】座体がフレームワークに取り付けられた状態を示す斜視図である。
【図５】座体を示す図であって、図５Ａが平面図であり、図５Ｂが側面図であり、図５Ｃが図５ＡのＶＣ−ＶＣ断面図であり、図５Ｄがバックアップ樹脂のみを示す底面図である。
【図６】座体を示す図であって、図６Ａが正面図であり、図６Ｂが図５ＡのＶＩＢ−ＶＩＢ断面図であり、図６Ｃが図５ＡのＶＩＣ−ＶＩＣ断面図であり、図６Ｄがネジ部材によりバックアップ樹脂と座板受け部を固定した状態の図６Ｂと同一の断面による断面図である。
【図７】図５Ｃと同一の断面による断面図であって、図７Ａ乃至図７Ｃが、スリットへのエラストマーの進入状態の変形例を示す断面図である。
【図８】図８Ａ及び図８Ｂが、スリットの変形例を示す斜視図である。
【図９】図５Ｃと同一の断面による断面図であって、前縁部の厚さの変形例を示す断面図である。
【発明を実施するための形態】
【００１５】
以下に本開示の実施形態を図面と共に説明する。
［１．実施形態］
［１−１．全体構成］
図１に示されるように、椅子１は、座体１１、背凭れ１３、支持体１５、脚端部１７などを有する。
【００１６】
なお、本実施形態においては、前後、左右、上下などの方向を用いて各部の構成を説明する場合があるが、それらの方向は、使用者が椅子１に正常に着席したときの使用者を基準とした方向である。即ち、着席した使用者の正面方向が前方となる。
【００１７】
椅子１は、前後及び上下に拡がる平面を基準として、左右に対称形である。
［１−２．支持体１５］
図２〜図４に示されるように、支持体１５は、管状の金属パイプを屈曲及び溶接して形成された左右一対のパイプ体３１と、パイプ体３１を連結する棒状の前側連結部３２及び後側連結部３３と、一対のパイプ体３１の間に取り付けられた座板受け部３４と、を有している。
【００１８】
パイプ体３１は、前柱４１と、後柱４２と、下柱４３と、上柱４４とを有している。
前柱４１は、パイプ体３１の前部に位置しており、上下方向に長さを有している。
後柱４２は、パイプ体３１の後部に位置しており、上下方向に長さを有している。
【００１９】
下柱４３は、パイプ体３１の下部に位置しており、前柱４１の下端と後柱４２の下端とを連結している。下柱４３は、椅子１が設置される床面に沿って配置される。
上柱４４は、パイプ体３１の上部に位置しており、前柱４１の上端と、後柱４２の上下中央よりもやや上部側と、を連結している。前柱４１と上柱４４は金属パイプを屈曲した屈曲部４６を介して屈曲して連接されている。また上柱４４の後端部は後側連結部３３と溶接により連接されている。この上柱４４は、前方側の厚肉部５１と、後方側の薄肉部５２とを有している。また上柱４４は、後述する着座部２１の左右の縁に沿って配置される。
【００２０】
厚肉部５１は、パイプ体３１における他の部分と同じ直径を有している。一方、薄肉部５２は、上側の面において、下側に凹む凹部５３が形成されており、それにより厚肉部５１よりも厚みが薄く形成されている。
【００２１】
前側連結部３２は、左右のパイプ体３１それぞれの前柱４１同士を連結している。また後側連結部３３は、左右のパイプ体３１それぞれの後柱４２同士を連結している。
座板受け部３４は、周囲に曲げ加工が為された板状の部材である。座板受け部３４は、左右一対の上柱４４に沿って配置される左右一対の側方部５５と、一対の側方部５５の前端同士を繋ぐ前方部５６と、を有している。
【００２２】
側方部５５は上柱４４に溶接されており、それにより座板受け部３４が上柱４４に固定される。図３に示されるように、左右一対の側方部５５それぞれには前後に間隔を空けた３箇所に貫通穴５７が形成されている。この貫通穴５７は、後述するネジ部材６５の雄ねじを挿入可能に構成されている。
【００２３】
また前方部５６は、屈曲部４６よりも後方に位置している。
［１−３．座体１１］
座体１１は、使用者が着席可能に構成されたものであって、図３及び図５Ａ〜５Ｃに示されるように、着座部２１と、バックアップ樹脂２２と、を有する。
【００２４】
着座部２１は、上側に着座面２１ａを構成しており、エラストマーにより形成される。エラストマーとは、弾力のある高分子材料を広く指すものである。
着座部２１は、全体として略矩形の板状であり、前方の部分が、下方に緩やかに曲がった曲面となっている。
【００２５】
図２、図４、図５Ａなどに示されるように、着座部２１の左右方向の幅は、左右の両方の側面における前方寄りに形成された段差部４７を境に、後方が広く、前方が狭く形成されている。以下、着座部２１における段差部４７よりも後方の領域を、幅広部４９と記載する。段差部４７は、左右側方から見ると、上側ほど前方に突出するように傾斜している。
【００２６】
バックアップ樹脂２２は、図３及び図５Ｄに示されるように、略矩形の枠状の部材であって、着座部２１の左右の縁に沿って配置される一対の横枠部２３と、着座部２１の後方の縁に沿って配置され、一対の横枠部２３の後端同士を連結する後枠部２４と、着座部２１の前方の縁に沿って配置され、一対の横枠部２３の前方同士を連結する前枠部２５と、を有する。
【００２７】
前枠部２５は、座体１１の前端部分において左右に広がって形成されている。前枠部２５の前方部分、即ち座体１１の前方の縁部分には、前方の端部が上下方向に弾性変形可能に構成された前縁部６１が設けられている。
【００２８】
また、前枠部２５の後方部分、即ち前縁部６１の後方の位置には、変位制限部６２が設けられている。つまり、前縁部６１と、変位制限部６２と、は共通の部材により形成されている。この変位制限部６２は、前方部５６と当接し、前方部５６により下方から支持されるため、前縁部６１と比較して上下方向の弾性変形が制限されている。
【００２９】
前縁部６１は、板状の形状を有している。また、前縁部６１は、上方から見たときに、左右方向に長さを有する略矩形である。また、前縁部６１は、前方ほど下方に位置するように傾斜した形状である。着座部２１の前方部分は、この前縁部６１に沿って曲面を形成している。
【００３０】
また、前縁部６１には、複数のスリット６３が形成されている。複数のスリット６３は、いずれも前後方向に長さを有しており、左右に並べて配置されている。
なお、バックアップ樹脂２２の外周形状は着座部２１の外周形状と合わせて形成されているため、図５Ｄに示されるように、着座部２１の段差部４７と同様に段差が形成された補助段差部６４の前後で後方が広く、前方が狭く形成されている。よって、前縁部６１の左右方向の幅は、変位制限部６２の後方部分における左右方向の幅よりも小さくなっている。
【００３１】
上述したように前方部５６は屈曲部４６よりも後方に位置するため、変位制限部６２は屈曲部４６よりも後方に位置することとなる。しかしながら前縁部６１は、図４に示されるように、屈曲部４６よりも大きく前方に張り出している。
【００３２】
バックアップ樹脂２２の中心には開口２７が形成されている。ここでいう中心とは、バックアップ樹脂２２を枠と見立てたときの中心部分、即ち枠の内部という意味である。バックアップ樹脂２２は、着座部２１の下側面に重ねた状態で、着座部２１に対して固定されている。開口２７はその全体が着座部２１にて覆われる。
【００３３】
バックアップ樹脂２２は、着座部２１を構成するエラストマーよりも高い剛性を有する部材により形成されている。バックアップ樹脂２２は、例えば、ポリプロピレン等のオレフィン系樹脂、ポリアミド等の合成樹脂、ガラス繊維や炭素繊維などを添加した繊維強化プラスチック、或いは金属や木材等の樹脂以外の材料を用いることができるが、これらに限定されることはない。
【００３４】
着座部２１とバックアップ樹脂２２は、二色成型により一体に成形される。具体的には、例えば、１台の射出成型機で金型側を交換させて、着座部２１とバックアップ樹脂２２とを連続で順番に成型する工程や、成型されたバックアップ樹脂２２を金型内にセットして着座部２１を成型する工程などが考えられる。バックアップ樹脂に代えて、樹脂ではない金属部材を用いる場合は、後者の工程、いわゆるインサート成型により一体に成形することができる。
【００３５】
図５Ａに示されるように、着座部２１はバックアップ樹脂２２を上方から見て完全に覆う。前縁部６１も、上面の全体がエラストマーにより被覆されている。図５Ｃに示されるように、エラストマーは、スリット６３の内部まで進入した状態となっている。
【００３６】
図６Ｂ及び図６Ｃに示されるように、横枠部２３は、着座部２１の左右の縁近傍に形成された上向きに窪んだ溝部７１に収まるように形成される。溝部７１は、着座部２１の左右方向の端部において屈曲して下方向に延びる端部壁７２と、その端部から間隔を空けた位置に形成される下向きの突条である内側壁７３と、により構成されており、溝部７１の内部に配置される横枠部２３は、端部壁７２および内側壁７３によって左右から挟まれる位置関係となる。
【００３７】
また横枠部２３には、下方に突出する突出部２８が形成されている。図６Ｂに示されるように、ネジ穴５８は突出部２８に形成されている。このネジ穴５８は、座板受け部３４の側方部５５の貫通穴５７に対応する位置に形成されている。
【００３８】
また横枠部２３におけるネジ穴５８が形成されていない部分には、図６Ｃに示されるように、下向きに窪んだ溝部２９が形成されている。この溝部２９には、着座部２１に設けられた突条７５が挿入される。
【００３９】
図６Ｄに示されるように、バックアップ樹脂２２と側方部５５との固定は、座板受け部３４の側方部５５の貫通穴５７にネジ部材６５を挿入してネジ穴５８と締結することで実現される。バックアップ樹脂２２と座板受け部３４とを固定する際には、突出部２８の下側の先端が側方部５５の上側面に当接する。
【００４０】
この状態において、図１Ｄ及び図４に示されるように、着座部２１の幅広部４９は、バックアップ樹脂２２のみでなく上柱４４の薄肉部５２も上方から覆うこととなる。換言すると、前後方向に関して段差部４７より後方の幅広部４９が形成されている範囲においては、左右方向の全域において、着座部２１が薄肉部５２及び側方部５５を上から覆い、上側から見ると薄肉部５２及び側方部５５が視認できない状態となっている。
【００４１】
なお上柱４４のうち、厚肉部５１は、座体１１の外周に配置され、着座部２１とは座体１１の厚さ方向に並ばない位置に配置される。
［１−４．効果］
以上詳述した実施形態によれば、以下の効果が得られる。
【００４２】
（１Ａ）椅子１では、前縁部６１が上下に弾性変形することから、前縁部６１に大腿部が乗せられたとき、前縁部６１は、大腿部を過度に圧迫することを抑制しつつ、大腿部を支持することができる。よって、大腿部と座体１１との接触状態の改善を図ることにより、座体１１全体として座り心地の向上を図ることができる。
【００４３】
（１Ｂ）椅子１では、座体１１は、エラストマーを含む着座部２１によって前縁部が覆われているため、使用者が直接前縁部に接触することを抑制できる。よって、前縁部に使用者が触れてしまい違和感を受ける危険を低減することができる。
【００４４】
（１Ｃ）椅子１では、前縁部の後方には、上下に弾性変形しにくい変位制限部６２が設けられているため、使用者が着席したときに、座体１１の前方部分の広い範囲が全体的に沈み込んでしまうことを抑制できる。
【００４５】
（１Ｄ）椅子１において、前縁部６１は、上方から見て左右に長さを有する矩形であるため、大腿部を左右の広い範囲で支持することができる。また前縁部６１は、前方ほど下方に位置するように傾斜した形状であるため、前方ほど大腿部に加わる荷重が小さくなり、座り心地を向上させることができる。
【００４６】
（１Ｅ）椅子１において、前縁部６１の左右方向の幅は、変位制限部６２の後方部分、即ち補助段差部６４の後方部分における左右方向の幅よりも小さくなるように構成されている。そのため、前縁部６１の弾性変形を大きく阻害せずに、変位制限部６２の弾性変形を抑制することができる。
【００４７】
［２．その他の実施形態］
以上本開示の実施形態について説明したが、本開示は、上記実施形態に何ら限定されることはなく、本開示の技術的範囲に属する限り種々の形態をとり得ることはいうまでもない。
【００４８】
（２Ａ）上記実施形態では、前縁部６１が座体１１の前方にのみ設けられる構成を例示したが、前縁部は座体１１の前方のみでなく、座体１１左右の側方にも設けられていてもよい。
【００４９】
（２Ｂ）上記実施形態では、変位制限部６２は座板受け部３４の前方部５６によって下方から支持されることにより上下方向の弾性変形が抑制される構成を例示した。しかしながら、変位制限部は、変位制限部自体の構造によって弾性変形が抑制される構成であってもよい。例えば変位制限部にリブなどの剛性を向上させる構造を設けたり、上下方向の厚みを大きくしたりすることが考えられる。
【００５０】
また、変位制限部は、前方部５６以外の部材によって下方から支持される構成であってもよい。
（２Ｃ）上記実施形態では、前縁部６１の上面の全体が着座部２１のエラストマーによって覆われる構成を例示したが、前縁部６１の一部又は全部はエラストマーに覆われることなく、上面が露出している構成であってもよい。
【００５１】
（２Ｄ）上記実施形態では、スリット６３の内部にまでエラストマーが進入する構成を例示したが、スリット６３の内部にまでエラストマーが進入しない構成であってもよい。
一方、エラストマーがスリットを通過して、前縁部６１の下側面までを覆うように構成されていてもよい。例えば、図７Ａに示されるように、スリット９１は下側面において、幅の広げられた拡張部９２を有しており、着座部２１のエラストマーのうち、前縁部６１の下側面を覆う被覆部９３がその拡張部９２に進入することにより、スリット９１の周囲の少なくとも一部を下から覆うように構成されていてもよい。
【００５２】
また、図７Ｂに示されるように、被覆部９４が前縁部６１の前方の端部の下側面を覆うように構成されていてもよい。
また、図７Ｃに示されるように、被覆部９５が、前縁部６１の下側面を広く覆うように構成されていてもよい。
【００５３】
（２Ｅ）上記実施形態では、前縁部６１には前後方向に長さを有する複数のスリットが形成される構成を例示した。しかしながら、スリットが形成されていない構成であってもよいし、形成されるスリットの数が１つであってもよい。
【００５４】
また、図８Ａに示されるように、スリットに変えて、長穴、丸穴などの貫通穴１０１が形成される構成であってもよい。その場合、異なる形状の穴が形成されていてもよい。また、図８Ｂに示されるように、左右方向に長さを有するスリット１１１を形成してもよい。その場合、異なる幅や長さのスリットが形成されていてもよい。
【００５５】
貫通穴１０１やスリット１１１は、前後方向に列を作るように並べて形成されていてもよいし、その一部又は全部が、前後に列を作らないように左右方向に位置を変えつつ形成されていてもよい。また、貫通穴の径やスリットの幅や長さが、前方側ほど小さくなるように形成されていてもよいし、逆に、後方側ほど小さくなるように形成されていてもよい。
【００５６】
また、前縁部６１には、上述した貫通穴やスリットに変えて、貫通しない穴や溝が設けられていてもよい。また、リブなどの弾性変形量を小さくする部材が設けられていてもよい。
【００５７】
（２Ｆ）上記実施形態では、前縁部６１の上下方向の厚さは一定である構成を例示したが、図９に示される前縁部６１ａのように、上下方向の厚さが前後の位置に応じて変化するように構成されていてもよい。例えば、前方ほど薄く形成することで、前方の柔軟性を高くすることができる。また反対に、後方ほど薄く形成してもよい。
【００５８】
（２Ｇ）上記実施形態では、座体１１は着座部２１とバックアップ樹脂２２とを備える構成を例示した。しかしながら、さらに、例えばポリウレタンフォーム等を備えるクッション材を有していてもよい。
【００５９】
（２Ｈ）上記実施形態では、前縁部６１は曲面状の板状形状である構成を例示した。しかしながら前縁部は平板状の形状であってもよい。また前縁部は、面状の形状であってもよい。ここでいう面状とは、前縁部のうち大腿部を支持する部分、即ち上側の部分が、面のように広がって存在する状態を意味する。例えば、棒状の部材、ワイヤー、布、メッシュ、塊の集合体、などによって構成され、前縁部それ自体は板状ではなくとも、大腿部と接触して大腿部を支持する部分が平面又は曲面的に広がっているものを指す。
【００６０】
より具体的には、棒状の部材を格子状、グリッド状、網状などに組んだものや、左右に間隔を空けて配置された支持部材の間にワイヤーや布を張ったもの、又は、球状や直方体といった何らかの形状を有するブロックを２次元的に並べて固定したもの、などが該当する。
【符号の説明】
【００６１】
１…椅子、１１…座体、１５…支持体、１７…脚端部、２１…着座部、２１ａ…着座面、２２…バックアップ樹脂、２３…横枠部、２４…後枠部、２５…前枠部、２７…開口、２８…突出部、２９…溝部、３１…パイプ体、３２…前側連結部、３３…後側連結部、３４…座板受け部、４１…前柱、４２…後柱、４３…下柱、４４…上柱、４６…屈曲部、４７…段差部、４９…幅広部、５１…厚肉部、５２…薄肉部、５３…凹部、５５…側方部、５６…前方部、５７…貫通穴、５８…ネジ穴、６１…前縁部、６１ａ…前縁部、６２…変位制限部、６３…スリット、６４…補助段差部、６５…ネジ部材、７１…溝部、７２…端部壁、７３…内側壁、７５…突条、９１…スリット、９２…拡張部、９３…被覆部、９４…被覆部、９５…被覆部、１０１…貫通穴、１１１…スリット。
【図１】
2018079086.tif 000003
【図２】
2018079086.tif 000004
【図３】
2018079086.tif 000005
【図４】
2018079086.tif 000006
【図５】
2018079086.tif 000007
【図６】
2018079086.tif 000008
【図７】
2018079086.tif 000009
【図８】
2018079086.tif 000010
【図９】
2018079086.tif 000011